(57)【要約】【課題】室温に左右されることなく常に快適な乾燥機能を有するトイレ装置を提供することを目的とする。【解決手段】タンク２内の洗浄水を加熱するヒーター３とタンク２内の洗浄水温度を検知するサーミスター４とを用いて、洗浄水温度が予め設定された温度になるよう湯温制御部５がオンオフ制御し、室温演算部６がヒーター３の通電率と予め保持した演算式から室温を演算により求めるものである。これにより、求めた室温に応じて乾燥制御ができるので、冬場冷たくなく夏場火傷をしない、室温に左右されることない常に快適な乾燥機能を得ることができる。【選択図】図１
2005139717.tif 000002
【特許請求の範囲】
【請求項１】
人体局部を洗浄水にて洗浄するためのノズル部と、洗浄水を貯湯するタンクと、タンク内の洗浄水を加熱するヒーターと、タンク内の洗浄水温度を検知するサーミスターと、洗浄水温度が予め設定された温度になるようサーミスターの検知温度に応じてヒーターへの通電を制御する湯温制御部と、湯温制御部が出力するヒーターの通電率と予め保持した演算式から室温を演算する室温演算部とを有するトイレ装置。
【請求項２】
使用者の好みに応じて洗浄水温度を可変できる湯温制御部と、設定温度が切り替わってから一定時間は室温の検知を行わない室温演算部を有する請求項１に記載のトイレ装置。
【請求項３】
使用者の好みに応じてヒーターをオフすることが可能な湯温制御部と、ヒーターのオフが設定されてから所定時間後のサーミスターの検知温度を室温として出力する室温演算部を有する請求項１に記載のトイレ装置。
【請求項４】
洗浄後の局部および周辺を温風により乾燥させる温風発生部と、温風発生部のヒーターワット或いは風量を可変する乾燥制御部を有し、乾燥制御部は室温演算部の求めた室温に応じてヒーターワット或いは風量を可変する請求項１〜３のいずれか１項に記載のトイレ装置。
【発明の詳細な説明】
【技術分野】
【０００１】
本発明は人体局部を洗浄、乾燥するトイレ装置に関する。
【背景技術】
【０００２】
従来、この種のトイレ装置としては、洗浄後の人体局部を乾燥するのに、室温を検知してそれに応じた加熱量制御を行い、乾燥時の機器の内部発熱によって室温センサーの周囲温度が上昇する影響を除いていた（例えば、特許文献１参照）。
【０００３】
すなわち、図４に示すように、従来のトイレ装置は、洗浄後の局部に温風を吹出す乾燥機能部２０と、トイレ室内の温度を検出する室温センサー２１と、乾燥制御部２２を備え、室温センサー２１で検出した室内温度に基づいて乾燥制御部２２は乾燥機能部２０の動作後、機器の内部発熱の影響がなくなる所定時間が経過するまで前記室内温度の更新は行わないようにしたものである。
【特許文献１】特開平７−３１０３４８号公報
【発明の開示】
【発明が解決しようとする課題】
【０００４】
しかしながら、前記従来の構成では、室温検知手段として本体任意の位置に設けた室温センサー２１が乾燥以外の動作状態によって受ける熱的影響に対応できないという課題を有していた。
【０００５】
一般に、室温センサーは、デザイン上、若しくは品質上の理由から外部から見えない本体内部の任意の場所に配されるが、例えば、人体局部を洗浄している状態で洗浄水を付勢する洗浄モーターや洗浄モーターを駆動する電源回路や洗浄水加熱手段が発熱するため、それによって室温センサー周囲（本体内部）の温度が上昇して正しい温度が検知できない。更に、洗浄水の流量や温度は様々に調整できる様になっているのが普通であるが、仮に温度補正により課題解決を図る場合も、水温や元水圧によって負荷（即ち、上記温度上昇）が大きくばらつくため、精度良く室温を検知するのが極めて困難であった。
【０００６】
本発明は、前記従来の課題を解決するもので、室温に左右されることなく常に快適な乾燥機能を有するトイレ装置を提供することを目的とする。
【課題を解決するための手段】
【０００７】
前記従来の課題を解決するために、本発明のトイレ装置は、タンク内の洗浄水を加熱するヒーターとタンク内の洗浄水温度を検知するサーミスターとを用いて、洗浄水温度が予め設定された温度になるよう湯温制御部がオンオフ制御し、室温演算部がヒーターの通電率と予め保持した演算式から室温を演算により求めるものである。
【０００８】
これにより、求めた室温に応じて乾燥制御ができるので、冬場冷たくなく夏場火傷をしない、室温に左右されることない常に快適な乾燥機能を得ることができる。
【発明の効果】
【０００９】
本発明のトイレ装置は、冬場冷たくなく夏場火傷をしない、室温に左右されることない常に快適な乾燥機能を得ることができる。
【発明を実施するための最良の形態】
【００１０】
第１の発明は、人体局部を洗浄水にて洗浄するためのノズル部と、洗浄水を貯湯するタンクと、タンク内の洗浄水を加熱するヒーターと、タンク内の洗浄水温度を検知するサーミスターと、洗浄水温度が予め設定された温度になるようサーミスターの検知温度に応じてヒーターへの通電を制御する湯温制御部と、湯温制御部が出力するヒーターの通電率と予め保持した演算式から室温を演算する室温演算部とを有するトイレ装置とすることにより、求めた室温に応じて乾燥制御ができるので、冬場冷たくなく夏場火傷をしない、室温に左右されることない常に快適な乾燥機能を得ることができる。
【００１１】
第２の発明は、特に、第１の発明において、使用者の好みに応じて洗浄水温度を可変できる湯温制御部と、設定温度が切り替わってから一定時間は室温の検知を行わない室温演算部を有することにより、通電率が過渡的に変化したことの影響を除くことができ、便座温度設定の変更時の過渡的影響を受けることなくトイレ内の室温をより正確に求めることができる。
【００１２】
第３の発明は、特に、第１の発明において、使用者の好みに応じてヒーターをオフすることが可能な湯温制御部と、ヒーターのオフが設定されてから所定時間後のサーミスターの検知温度を室温として出力する室温演算部を有することにより、ヒーターオフ時にサーミスターの温度が完全に室温と馴染んで一致した時にその温度を直接サーミスター信号で取込むことができ、便座温度設定オフ時の過渡的影響を受けることなくトイレ内の室温をより正確に求めることができる。
【００１３】
第４の発明は、特に、第１〜第３のいずれか１つの発明において、洗浄後の局部および周辺を温風により乾燥させる温風発生部と、温風発生部のヒーターワット或いは風量を可変する乾燥制御部を有し、乾燥制御部は室温演算部の求めた室温に応じてヒーターワット或いは風量を可変することにより、冬場室温が低いときはヒーターワットを高く或いは風量を低く設定し、逆に夏場室温が高いときはヒーターワットを低く或いは設定することができ、季節にかかわらず一定の温風温度を得ることができる。
【００１４】
以下、本発明の実施の形態について、図面を参照しながら説明する。なお、この実施の形態によって本発明が限定されるものではない。
【００１５】
（実施の形態）
図１〜図３は本発明の実施の形態におけるトイレ装置を示すものである。
【００１６】
図に示すように、本実施の形態におけるトイレ装置は、人体局部を洗浄水にて洗浄するためのノズル部１と、洗浄水を貯湯するタンク２と、タンク２内の洗浄水を加熱するヒーター３と、タンク２内の洗浄水温度を検知するサーミスター４と、洗浄水温度が予め設定された温度になるようサーミスター４の検知温度に応じてヒーター３への通電を制御する湯温制御部５と、湯温制御部５が出力するヒーター３の通電率と予め保持した演算式から室温を演算する室温演算部６とを有する。また、トイレ装置は、洗浄後の局部および周辺を温風により乾燥させる温風発生部７と、温風発生部７のヒーターワット或いは風量を可変する乾燥制御部８も有している。
【００１７】
前記ヒーター３はタンク２の中に配され、通電によって洗浄水を昇温することができる。同じくタンク２の中に配されたサーミスター４は洗浄水温度を検知し、湯温制御部５は洗浄水温度が予め設定された温度になるようサーミスター４の検知温度に応じて、設定温度＜検知温度の時はオン、それ以外はオフとなるようヒーター３への通電を制御する。この時、ヒーター３への通電率は、タンク２の放熱速度すなわち洗浄水温度と室温との差に比例するため、室温演算部６は設定された洗浄水温度と通電率の関係から室温を求めることができる。求めた室温に応じ乾燥制御部８は、温風発生部７の温風吹出し温度を制御する。温風発生部７は使用者が洗浄後の濡れた人体局部を乾燥するのに適した吹出し角度で温風を発生するよう構成されており、夏場で気温が高いときは温風が熱すぎてやけどをする恐れがある、或いは冬場で気温が低いときは温風が低すぎて乾燥に時間がかかるという課題に対して常に適温の温風温度を供給することができる。すなわち、乾燥制御部８は室温演算部６の求めた室温に応じてヒーターワット或いは風量を可変することにより、冬場室温が低いときはヒーターワットを高く或いは風量を低く設定し、逆に夏場室温が高いときはヒーターワットを低く或いは設定することができ、季節にかかわらず一定の温風温度を得ることができる。
【００１８】
図２は通電率と室温の関係（室温演算部６の演算式）を示し、図３はヒーター通電のタイミングチャートを示している。
【００１９】
当初、設定温度Ａで通電制御したときのヒーター通電は、タイミング１１で示した状態になる。次に設定温度Ａより高い設定温度Ｂに上げたとき、ヒーター通電はタイミング１２で示す時間、すなわち、温度が安定するまでの時間は室温に関係なくフル通電の状態になる。この状態で、図２に示す演算式に基づいて室温を計算すると正しい結果を導けないので、温度が安定した状態のタイミング１３まで待って室温の計算を再開する。次にタンク２への通電を切ったとき、サーミスター３が室温まで低下するタイミング１４を待って安定した後のタイミング１５でサーミスター４の値を室温として採用する。これにより本実施の形態では、設定温度の変更による過渡特性の影響を受けることなく、安価かつ必要十分な室温検出を実現することができる。
【００２０】
なお、使用者の好みに応じて洗浄水温度を可変できる湯温制御部５と、設定温度が切り替わってから一定時間は室温の検知を行わない室温演算部６を有することにより、通電率が過渡的に変化したことの影響を除くことができ、温度設定の変更時の過渡的影響を受けることなくトイレ内の室温をより正確に求めることができる。
【００２１】
また、使用者の好みに応じてヒーター３をオフすることが可能な湯温制御部５と、ヒーター３のオフが設定されてから所定時間後のサーミスター４の検知温度を室温として出力する室温演算部６を有することにより、ヒーターオフ時にサーミスター４の温度が完全に室温と馴染んで一致した時にその温度を直接サーミスター信号で取込むことができ、温度設定オフ時の過渡的影響を受けることなくトイレ内の室温をより正確に求めることができる。
【産業上の利用可能性】
【００２２】
以上のように、本発明にかかるトイレ装置は、冬場冷たくなく夏場火傷をしない、室温に左右されることない常に快適な乾燥機能を得ることができるものであり、快適トイレ装置として有用である。
【図面の簡単な説明】
【００２３】
【図１】本発明の実施の形態におけるトイレ装置のブロック図
【図２】同トイレ装置の通電率と室温の関係を示す図
【図３】同トイレ装置のヒ−ター通電のタイミングチャート
【図４】従来におけるトイレ装置のブロック図
【符号の説明】
【００２４】
１  ノズル部
２  タンク
３  ヒーター
４  サーミスター
５  湯温制御部
６  室温演算部
７  温風発生部
８  乾燥制御部
【図１】
2005139717.tif 000003
【図２】
2005139717.tif 000004
【図３】
2005139717.tif 000005
【図４】
2005139717.tif 000006